(57)【要約】      （修正有）【課題】冬季の乾燥期に自分の身体に帯電した静電気を地面に放電させることができる履物（靴、サンダル）の構造を提供する。【解決手段】履物の底板３に電導性ゴム、又は電導性高分子（電導性プラスチックなど）２を取付けて自分の身体に帯電した静電気を履物から地面に放電させる様にした。【選択図】図１
0003209838.tif 000002
【実用新案登録請求の範囲】
【請求項１】
［図１］の様に人体に帯電する静電気をかかと部より地面に放電させる為の靴の構造であって、靴の底板に電導性ゴム、又は電導性高分子（電導性プラスチックなど）を貫通させ当該電導性ゴム、又は電導性高分子（電導性プラスチックなど）を、かかと部に取付けた事を特徴とする靴の構造。
【請求項２】
［図３］の様に人体に帯電する静電気をかかと部より地面に放電させる為の靴の構造であって、靴の内側面より外側面に電導性ゴム、又は電導性高分子（電導性プラスチックなど）を貫通させ当該電導性ゴム、又は電導性高分子（電導性プラスチックなど）を、靴の外側面から靴底を経由してかかと部に取付けた事を特徴とする靴の構造。
【請求項３】
［図５］の様に人体に帯電する静電気をかかと部より地面に放電させる為の靴の構造であって、靴の内側に電導性ゴム、又は電導性高分子（電導性プラスチックなど）を取付け当該電導性ゴム、又は電導性高分子（電導性プラスチックなど）を、靴底の内側面から貼り上げ靴の外側面を貼り下げ廻し靴底を経由してかかと部に取付けた事を特徴とする靴の構造。
【請求項４】
［図７］の様に人体に帯電する静電気をサンダルの底板より地面に放電させる為のサンダルの構造であって、サンダルの底板に電導性ゴム、又は電導性高分子（電導性プラスチックなど）を貫通させ当該電導性ゴム、又は電導性高分子（電導性プラスチックなど）をサンダルの底板に取付けた事を特徴とするサンダルの構造。
【請求項５】
［図９］の様に人体に帯電する静電気をサンダルの底板より地面に放電させる為のサンダルの構造であって、サンダルの表面から裏面まで電導性ゴム、又は電導性高分子（電導性プラスチックなど）をバンド状に巻いて取付けた事を特徴とするサンダルの構造。
【考案の詳細な説明】
【技術分野】
【０００１】本考案は、冬季の乾燥期に人体に帯電する静電気を履物（靴、サンダル）に取付けた電導性ゴム、又は電導性高分子（電導性プラスチックなど）に依り地面に放電させる様にしたものである。
【背景技術】
【０００２】従来は、特に人体に帯電する静電気の放電（スパーク）を嫌う特殊な工場、研究所、ガソリンスタンド等での勤務者が履く静電気除去安全靴は、有ったが一般の人が街中や事務所ビルなどで履くには、デザイン的にスマートでなく好まれなかった。
【考案の開示】
【考案が解決しようとする課題】
【０００３】冬季の乾燥期に扉のノブ、車のドアー、他人の身体などに触れた時、自分の身体に帯電した静電気が放電（スパーク）して（バシッ、ビリビリ）と大変な恐怖心と不快な思いをしていた。
【課題を解決するための手段】
【０００４】冬季の乾燥期に自分の身体に帯電した静電気を地面に放電させる為［図１］の様に靴の▲３▼底板に▲２▼電導性ゴム、又は電導性高分子（電導性プラスチックなど）を貫通させて、▲１▼かかと部に取付ける様にした。【０００５】冬季の乾燥期に自分の身体に帯電した静電気を地面に放電させる為［図３］の様に▲５▼靴の側面に▲２▼電導性ゴム、又は電導性高分子（電導性プラスチックなど）を貫通させて、▲１▼かかと部へと取付ける様にした。【０００６】冬季の乾燥期に自分の身体に帯電した静電気を地面に放電させる為［図５］の様に▲６▼靴の内側から外側へと▲２▼電導性ゴム、又は電導性高分子（電導性プラスチックなど）を取付けて、▲１▼かかと部に取付ける様にした。【０００７】冬季の乾燥期に自分の身体に帯電した静電気を地面に放電させる為［図７］の様にサンダルの▲３▼底板に▲２▼電導性ゴム、又は電導性高分子（電導性プラスチックなど）を貫通させて、取付ける様にした。【０００８】冬季の乾燥期に自分の身体に帯電した静電気を地面に放電させる為［図９］の様にサンダルの▲３▼底板に▲２▼電導性ゴム、又は電導性高分子（電導性プラスチックなど）をバンド状に巻いて取付ける様にした。
【考案の効果】
【０００９】冬季の乾燥期に人体に帯電した静電気を電導性ゴム、又は電導性高分子（電導性プラスチックなど）を取付けた履物を履く事に依り、たえず地面に静電気を放電させて、自分が他の物に触った時に放電（スパーク）する恐怖心、不快感から解放される。
【図面の簡単な説明】
【００１０】
【図１】靴の底板に電導性ゴム、又は電導性高分子（電導性プラスチックなど）を貫通させて、かかと部に取付ける断面図である。
【図２】上図の外観底部見上げ斜視図である。
【図３】靴の側面に電導性ゴム、又は電導性高分子（電導性プラスチックなど）を貫通させて、かかと部へと取付ける断面図である。
【図４】上図の外観底部見上げ斜視図である。
【図５】靴の内側から外側へと電導性ゴム、又は電導性高分子（電導性プラスチックなど）を取付けて、かかと部に取付ける断面図である。
【図６】上図の外観底部見上げ斜視図である。
【図７】サンダルの底板に電導性ゴム、又は電導性高分子（電導性プラスチックなど）を貫通させて、取付ける断面図である。
【図８】上図の外観底部見上げ斜視図である。
【図９】サンダルの底板に電導性ゴム、又は電導性高分子（電導性プラスチックなど）をバンド状に巻いて取付ける断面図である。
【図１０】上図の外観底部見上げ斜視図である。
【符号の説明】
【００１１】▲１▼  かかと部
▲２▼  電導性ゴム、又は電導性高分子（電導性プラスチックなど）
▲３▼  底板
▲４▼  電導性ゴム、又は電導性高分子（電導性プラスチックなど）の丸型ヘッド
▲５▼  靴の側面
▲６▼  靴の内側
【図１】
0003209838.tif 000003
【図２】
0003209838.tif 000004
【図３】
0003209838.tif 000005
【図４】
0003209838.tif 000006
【図５】
0003209838.tif 000007
【図６】
0003209838.tif 000008
【図７】
0003209838.tif 000009
【図８】
0003209838.tif 000010
【図９】
0003209838.tif 000011
【図１０】
0003209838.tif 000012
【手続補正書】
【提出日】平成29年1月20日(2017.1.20)
【手続補正１】
【補正対象書類名】実用新案登録請求の範囲
【補正対象項目名】全文
【補正方法】変更
【補正の内容】
【実用新案登録請求の範囲】
【請求項１】
人体に帯電する静電気をかかと部より地面に放電させる為の靴の構造であって、靴の底板に電導性ゴム、又は電導性高分子（電導性プラスチックなど）を貫通させ当該電導性ゴム、又は電導性高分子（電導性プラスチックなど）を、かかと部に取付けた事を特徴とする靴の構造。
【請求項２】
人体に帯電する静電気をかかと部より地面に放電させる為の靴の構造であって、靴の内側面より外側面に電導性ゴム、又は電導性高分子（電導性プラスチックなど）を貫通させ当該電導性ゴム、又は電導性高分子（電導性プラスチックなど）を、靴の外側面から靴底を経由してかかと部に取付けた事を特徴とする靴の構造。
【請求項３】
人体に帯電する静電気をかかと部より地面に放電させる為の靴の構造であって、靴の内側に電導性ゴム、又は電導性高分子（電導性プラスチックなど）を取付け当該電導性ゴム、又は電導性高分子（電導性プラスチックなど）を、靴底の内側面から貼り上げ靴の外側面を貼り下げ廻し靴底を経由してかかと部に取付けた事を特徴とする靴の構造。
【請求項４】
人体に帯電する静電気をサンダルの底板より地面に放電させる為のサンダルの構造であって、サンダルの底板に電導性ゴム、又は電導性高分子（電導性プラスチックなど）を貫通させ当該電導性ゴム、又は電導性高分子（電導性プラスチックなど）をサンダルの底板に取付けた事を特徴とするサンダルの構造。
【請求項５】
人体に帯電する静電気をサンダルの底板より地面に放電させる為のサンダルの構造であって、サンダルの表面から裏面まで電導性ゴム、又は電導性高分子（電導性プラスチックなど）をバンド状に巻いて取付けた事を特徴とするサンダルの構造。